(57)【要約】【課題】調理機器の上方の限られた空間内に設置できて、非常に冷却された外気を給気しても、これによる結露発生がないようにすることのできる給排気型レンジフードを提供すること。【解決手段】１つの駆動モータ２１の両側に排気ファン２２と給気ファン２３とを接続して、これら排気ファン２２及び給気ファン２３を隔壁２４によって区画するファンボックス２０内に収納し、排気通路及び円筒形状の排気口と、給気通路３２及び四角形状の給気口３２ａとを有する区画ボックス３０をファンボックス２０に接続し、区画ボックス３０の排気口に排気ダクトを接続するとともに、区画ボックス３０の給気口に給気ダクト６２を接続して、給気ファン２３の上流側であって給気ダクト６２に至るまでの通気路内に、給気ファン２３による給気を加熱するヒータ５０を内蔵したこと。【選択図】図１
2006010211.tif 000002
【特許請求の範囲】
【請求項１】
調理機器やなべから発生した油煙や水蒸気を含む排気ガスを排気ダクトを通して屋外に排出し、屋外の新鮮空気を吸引ダクトを通して吸引するようにした給排気型レンジフードにおいて、
１つの駆動モータの両側に排気ファンと給気ファンとを接続して、これら排気ファン及び給気ファンを隔壁によって区画するファンボックス内に収納し、
排気通路及び円筒形状の排気口と、給気通路及び四角形状の給気口とを有する区画ボックスを、前記ファンボックスに接続し、
前記区画ボックスの排気口に前記排気ダクトを接続するとともに、前記区画ボックスの給気口に前記給気ダクトを接続して、
さらに、前記給気ファンの上流側であって前記給気ダクトに至るまでの通気路内に、前記給気ファンによる給気を加熱するヒータを内蔵したことを特徴とする給排気型レンジフード。
【発明の詳細な説明】
【技術分野】
【０００１】
本発明は、レンジフードに関し、特に、外気の屋内側への給気と、排気ガスの屋外への排気とを行うようにした給排気型レンジフードに関する。
【背景技術】
【０００２】
給排気型レンジフードは、調理機器で生じた排気ガスを、排気用ファンによって強制的に屋外に排出するとともに、これに伴って生じた負圧を利用するか、あるいはファンを使用して、燃焼用空気となる外気を当該レンジフードが設置してある台所等に供給するようにしたものである。このような給排気型レンジフードは、十分な排気と燃焼用空気の供給とが行えるメリットがあることから、例えば特許文献１〜特許文献４に記載されているような種々なものが既に提案されてきている。
【０００３】
特許文献１に記載されている給排気型レンジフードは、図８にも示すように、「排気通路２内に排気風圧検出センサ１０を取り付け、このセンサ１０で検出される排気風圧が設定値よりも小さい場合、給気ファンを駆動し、大きい場合には駆動を停止する制御器１１を設ける」ようにしたものであり、「無駄に給気ファンを駆動しない同時給排気型レンジフードを得る」ことができるものと考えられる。
【０００４】
特許文献２に記載されている給排気型レンジフードは、図９にも示すように、「フード本体２内のスペース利用して配設される接続ダクト９を介して給気チャンバー５と給気ダクト４とを接続する。給気ダクト接手７と排気ダクト接手６だけをフード本体２の天板12上から突出させた状態で奥行き寸法が小さな給気チャンバー５と大径な給気ダクト４とを接続する」ようにしたものであり、「フード本体内の遊び空間を接続ダクトの配設空間として利用することによって天板上に確保されるダクト配管用の施工空間を小さく抑制する」ことができるものと考えられる。
【０００５】
特許文献３に記載されている給排気型レンジフードは、図１０にも示すように、「箱形のチャンバー部２０を備えた給気部１３をフードカバー１１の上部に有し、且つ、排気部１２の一部もフードカバー１１の上部に有する同時給排気型レンジフード１０であって、天井パネル４０に形成されたパネル開口部に給気部１３や排気部１２の一部が挿入されてチャンバー部２０の上面部分が天井パネル４０より上方とされ、且つ、階上の床板６１より下方に位置し、少なくともチャンバー部２０の一部がパネル開口部の上方である天井懐部４２に挿入されている」ものであり、「（従来の）同時給排気型レンジフードは高さが高いため、フードカバーの下端部が低い位置に下がり、キッチンが使いにくくなるという問題」が解決できるものと考えられる。
【０００６】
特許文献４に記載されている給排気型レンジフードは、図１１にも示すように、「給排気チャンバー１は、排気用チャンバー２と給気用チャンバー３とから成る。両チャンバー２，３を重ね合わせた状態では全体として方形箱型を成す。また、両チャンバー２，３の互いに向き合う壁面２ａ，３ａは、レンジフード１０の側方から見て斜め（図１（ａ）では左下がり）の部分を有し、排気用チャンバー２は背面側ほど広く、給気用チャンバー３は手前側ほど広い。排気用チャンバー２及び給気用チャンバー３の側面（この実施形態では右側面）の壁面には各々屋外連通用開口部２ｂ，３ｂが形成されており、これら開口部には外壁６Ａを貫通して設けられたダクト４，５が接続される」ものであり、「レンジフード上方の空間が低くても、レンジフード側面の側の外壁に排気用と給気用の二つの開口部を形成する形態を実現できるレンジフードの給排気チャンバーを提供する」ことができると考えられる。
【特許文献１】特開平８−１７０８４６号公報、要約、代表図
【特許文献２】特開平９−１５２１５８号公報、要約、代表図
【特許文献３】特開平１１−２５７７０４号公報、要約、代表図
【特許文献４】特開２００２−１６２０８１号公報、要約、代表図
【発明の開示】
【発明が解決しようとする課題】
【０００７】
ところで、この種の給排気型レンジフードは、図１にも示すように、調理機器２００の上方の空間内に配置されて、天井裏に収納した排気ダクト及び給気ダクトに接続されるものである。そして、一般的に、天井裏は狭いものであり、設置した給排気型レンジフードの下方には、調理機器２００によって調理が行える空間を確保しておかなければならないため、この種の給排気型レンジフードは、それらに適用できるようにできるだけ小型なものとする必要がある。
【０００８】
ところが、特許文献１に記載されているレンジフードでは、図１０にも示したように、排気ダクトと給気ダクトとの間にファンを設けるようにしているため、部屋側に大きく突出するものとならざるを得ないものであり、小型化にはほど遠いものとなっている。
【０００９】
また、特許文献２に記載されているレンジフードも、特許文献３に記載されているレンジフードも、いずれも円筒状の給気及び排気ダクト（一般的には、両ダクトの直径は１６１ｍｍ程度である）を直接レンジフード側に接続しているため、これらのダクトが接続される部分は、無駄な空間が大きくなっているものである。
【００１０】
そこで、特許文献４に記載されている発明は、図１１にも示したように、「排気用チャンバー２と給気用チャンバー３とから成る給排気チャンバー１」を用意して、無駄な空間が発生するものを防止するようにしている。これにより、当該レンジフードは、「レンジフード上方の空間が低くても、レンジフード側面の側の外壁に排気用と給気用の二つの開口部を形成する形態を実現できるレンジフードの給排気チャンバーを提供する」ことができるものである。
【００１１】
しかしながら、この特許文献４のレンジフードで採用されている「排気用チャンバー２と給気用チャンバー３とから成る給排気チャンバー１」は、図１１にも示したように、結局２本の円筒状のダクトをこれに直接接続しなければならないし、このチャンバー１そのものを壁の全面に固定しなければならないから、調理機器の上方空間として大きなものが必要になってきているのである。
【００１２】
ところで、特に寒冷地において使用される給排気型レンジフードでは、外気を燃焼用空気として給気する場合、給気されてきた非常に冷たい空気によって当該レンジフード内の各機器や構成板等が冷却される。この冷却された部分に、排気ガスや室内空気が触れると、これに含まれていた水蒸気が液化し、所謂「結露」がレンジフード内に発生することがある。
【００１３】
このレンジフード内に生じた結露は、そのままにしておけば、レンジフードを構成している各部品を錆び付かせたり、場合によっては、レンジフード内の電気機器あるいは電子機器に多大な損傷を与えることにもなることが考えられる。このような問題については、上記特許文献１〜特許文献４の各発明者は、何等考慮していないものである。
【００１４】
そこで、本発明者等は、この種の給排気型レンジフードについて、調理機器の上方の限られた空間内に設置できて、厳寒時において使用しても、結露が発生しないようにするにはどうしたらよいか、について種々検討を重ねてきた結果、本発明を完成したのである。
【００１５】
すなわち、本発明の目的とするところは、調理機器２００の上方の限られた空間内に設置できて、非常に冷却された外気を給気しても、これによる結露発生がないようにすることのできる給排気型レンジフードを提供することにある。
【課題を解決するための手段】
【００１６】
以上の課題を解決するために、本発明の採った手段は、後述する最良の形態の説明中において使用する符号を付して説明すると、
「調理機器２００やなべから発生した油煙や水蒸気を含む排気ガスを排気ダクト６１を通して屋外に排出し、屋外の新鮮空気を吸引ダクト６２を通して吸引するようにした給排気型レンジフード１００において、
１つの駆動モータ２１の両側に排気ファン２２と給気ファン２３とを接続して、これら排気ファン２２及び給気ファン２３を隔壁２４によって区画するファンボックス２０内に収納し、
排気通路３１及び円筒形状の排気口３１ａと、給気通路３２及び四角形状の給気口３２ａとを有する区画ボックス３０を、ファンボックス２０に接続し、
区画ボックス３０の排気口３１ａに排気ダクト６１を接続するとともに、区画ボックス３０の給気口３２ａに給気ダクト６２を接続して、
さらに、給気ファン２３の上流側であって給気ダクト６２に至るまでの通気路内に、給気ファン２３による給気を加熱するヒータ５０を内蔵したことを特徴とする給排気型レンジフード１００」
である。
【００１７】
すなわち、この給排気型レンジフード１００は、図１に示すように、台所の壁３００の前面であって天井３１０の直下に配置されるもので、その下部を構成しているフード本体１０と、台所に設置してある調理機器２００との間に、調理機器２００上での調理が行える程度の空間を確保するようにしたものである。そして、この給排気型レンジフード１００は、図３及び図４に示すように、屋外に開口して天井３１０の上方の天井裏空間３１１内に導入されてきている排気ダクト６１及び給気ダクト６２がこれに接続されるものであり、調理機器２００やなべから発生した油煙や水蒸気を含む排気ガスを排気ダクト６１を通して屋外に排出し、屋外の新鮮空気を吸引ダクト６２を通して吸引するものである。
【００１８】
そして、この給排気型レンジフード１００は、図２〜図６に示すように、その本体内に、排気ファン２２及び排気口２２ａを収納したファンボックス２０と、このファンボックス２０に連結されて、排気通路３１及び給気通路３２を有する区画ボックス３０と、この区画ボックス３０の特に給気口３２ａに連結される給気用アダプタ４０とを備えたものであり、図４に示すように、ファンボックス２０の排気口２２ａに排気ダクト６１を直接接続し、図３に示すように、区画ボックス３０の給気通路３２に給気ダクト６２を接続するようにしたものである。なお、本最良形態における給気ダクト６２の接続は、給気用アダプタ４０を介して行っている。
【００１９】
この給排気型レンジフード１００において重要なのは、ファンボックス２０に接続されている区画ボックス３０が、図２に示すように、排気通路３１及び円筒形状の排気口３１ａと、給気通路３２及び四角形状の給気口３２ａとを有していることである。何故なら、図２から理解できるように、区画ボックス３０の排気口３１ａに、規格品であって円筒状のままの排気ダクト６１を直接接続することができとともに、四角形状にしてあって横に広がる区画ボックス３０の給気口３２ａに、給気用アダプタ４０またはこれに接続される接続アダプタ４３を介して、図３に示すように、規格品であって円筒状のままの給気ダクト６２を接続することができることになるからである。
【００２０】
以上のようにしたことによって、図２に示すように、排気ダクト６１が直接接続される区画ボックス３０側の排気口３１ａの周囲には十分な空間が確保されることになるだけでなく、当該給排気型レンジフード１００の本体全体の大きさも小さくなっているのである。このため、この給排気型レンジフード１００においては、区画ボックス３０の排気口３１ａに接続される排気ダクト６１の外周に断熱材７０を巻回するに際しての配置空間や作業空間が十分確保されるのであり、断熱材７０の取付作業が非常に簡単に行えるものとなっているのである。
【００２１】
また、この給排気型レンジフード１００においては、図３または図５に示すように、給気ファン２３の上流側であって給気ダクト６２に至るまでの通気路内にヒータ５０が内蔵してある。このヒータ５０は、例えば厳寒時において、給気ファン２３によって給気されてきた外気を所定温度に加熱するものであり、当該給排気型レンジフード１００内に冷却されて結露を発生する部分がないようにするものである。
【００２２】
本発明に給排気型レンジフード１００は、ヒータ５０を内蔵すべき部分がたくさん存在する。つまり、このヒータ５０の設置場所は、給気ファン２３の上流側であって給気ダクト６２に至るまでの通気路内という条件を満たせば、図３または図５に示すように、給気アダプタ４０内であってもよいし、区画ボックス３０内の給気通路３２内であってもよく、勿論接続アダプタ４３内や第２通路４２内であってもよいものである。
【００２３】
勿論、このヒータ５０は、電気加熱式のものが最も簡便であり、そのスイッチは、使用者の判断によって操作できるようにフード本体１０に設けたり、あるいは、外気温度センサや、給気アダプタ４０内を通る空気温度センサからの信号によって作動するものとしてもよい。
【００２４】
このヒータ５０が作動すれば、給気ファン２３の上流側であって給気ダクト６２に至るまでの通気路内を通る空気が所定温度に加熱されるから、給気によってこの給排気型レンジフード１００の各部材が冷却されることにはならず、結露が発生することもない。このため、結露による錆びの発生や、電気あるいは電子部品にショート等の電気的問題が発生することはないのである。
【００２５】
従って、この給排気型レンジフード１００は、調理機器２００の上方の限られた空間内に設置できて、結露による問題が発生しないようにすることができるものとなっているのである。
【００２６】
なお、この給排気型レンジフード１００について、その区画ボックス３０を、外形を構成する化粧筒３３によって排気通路３１及び給気通路３２を囲むものとし、化粧筒３３と、排気通路３１及び給気通路３２との間に給気分散通路３４を形成したものとすることもできる。
【００２７】
つまり、後述する最良形態の給排気型レンジフード１００では、図３〜図６に示すように、区画ボックス３０内にて排気通路３１及び給気通路３２を区画するとともに、これらの排気通路３１及び給気通路３２の周囲を、これらからさらに区画された給気分散通路３４としたものであり、給気通路３２の給気口３２ａには、図５に示すように、ファンボックス２０の給気口２３ａを開口させたものである。
【００２８】
これにより、この給排気型レンジフード１００においては、給気ファン２３によって吸引されてきた外気が、ファンボックス２０の給気口２３ａから区画ボックス３０側の給気分散通路３４内に供給されることになり、この給気分散通路３４内に供給されてきた外気は、当該給気分散通路３４を形成している化粧筒３３に形成してある各給気孔３３ａから、壁３００を除く部屋側方向に吹き出されることになるのである。勿論、この間、給気分散通路３４内の外気が排気通路３１や給気通路３２内の排気ガスあるいは空気と混合することはない。
【００２９】
つまり、この給排気型レンジフード１００では、限られた空間しか有していない区画ボックス３０内で、排気ファン２２による排気ガス排出のための排気通路３１、給気ファン２３による外気導入のための給気通路３２、そして、導入されてきた外気の分散を、効率的に行っているのであり、限られた空間しか有していない区画ボックス３０内で、排気ガスの排出、外気の導入及びその分散を効率的に行うものとなっているのである。
【００３０】
さらに、この給排気型レンジフード１００では、その給気用アダプタ４０を、区画ボックス３０の給気口３２ａに向かう第一通路４１と、給気ダクト６１からの第二通路４２とが互いに直交したものであることとすることもできる。つまり、この給排気型レンジフード１００では、これを構成している給気用アダプタ４０について、区画ボックス３０の給気口３２ａに向かう第一通路４１と、給気ダクト６１からの第二通路４２とを、図３に示すように、互いに直交するようにしてもよいものである。
【００３１】
これにより、この給排気型レンジフード１００では、非常に狭くなっている天井裏空間３１１内を水平に導入されてきた給気ダクト６２の当該給排気型レンジフード１００に対する接続作業を、天井３１０下の空間内で行えるようにしていて、天井裏空間３１１内での作業を不要にし、かつ給気ダクト６２側についての加工を行わなくても良いようにしているのであり、給気ダクト６２の接続作業を行い易くしているのである。
【発明の効果】
【００３２】
以上の通り、本発明は、
「調理機器２００やなべから発生した油煙や水蒸気を含む排気ガスを排気ダクト６１を通して屋外に排出し、屋外の新鮮空気を吸引ダクト６２を通して吸引するようにした給排気型レンジフード１００において、
１つの駆動モータ２１の両側に排気ファン２２と給気ファン２３とを接続して、これら排気ファン２２及び給気ファン２３を隔壁２４によって区画するファンボックス２０内に収納し、
排気通路３１及び円筒形状の排気口３１ａと、給気通路３２及び四角形状の給気口３２ａとを有する区画ボックス３０を、ファンボックス２０に接続し、
区画ボックス３０の排気口３１ａに排気ダクト６１を接続するとともに、区画ボックス３０の給気口３２ａに給気ダクト６２を接続して、
さらに、給気ファン２３の上流側であって給気ダクト６２に至るまでの通気路内に、給気ファン２３による給気を加熱するヒータ５０を内蔵したこと」
にその特徴があり、これにより、調理機器２００の上方の限られた空間内に設置できて、結露による「問題を発生させないようにすることのできる給排気型レンジフード１００を提供することができたのである。
【発明を実施するための最良の形態】
【００３３】
次に、以上のように構成した各請求項に係る発明を、図面に示した最良の形態である給排気型レンジフード１００について説明する。
【００３４】
図１には、本発明に係る給排気型レンジフード１００を設置した台所の様子が示してあり、この給排気型レンジフード１００は、壁３００の前面であって、上面が人の腰当たりになる調理機器２００の上方約８０センチメートルに取り付けてある。そして、この給排気型レンジフード１００の下部は、調理機器２００やなべから発生した油煙や水蒸気を含む排気ガスを捕集するフード本体１０としてあり、このフード本体１０の上方部分は、以下に述べていくファンボックス２０及び区画ボックス３０を組み込む本体となっている。
【００３５】
ファンボックス２０は、図３〜図６に示したように、本体の下部であって、この本体との間に排気ガスの流入空間を形成しながら当該本体内に組み込んだものであり、図示しない排気ガスの吸引口以外は密閉したものである。また、このファンボックス２０内は、縦方向に位置する隔壁２４によって区画されており、それぞれの空間内に排気ファン２２及び給気ファン２３が収納してある。これらの排気ファン２２及び給気ファン２３は、隔壁２４に支持した駆動モータ２１によって回転駆動されるものである。
【００３６】
また、このファンボックス２０の、各排気ファン２２及び給気ファン２３を収納している部屋の上端部には、図３及び図４に示したように、排気口２２ａ及び給気口２３ａとしてあり、これらの排気口２２ａ及び給気口２３ａを介して上方側に配置してある区画ボックス３０が接続されるのである。
【００３７】
区画ボックス３０は、上述したファンボックス２０と、後述する給気用アダプタ４０とを接続するものであり、図２及び図７に示したような外形を有しているものである。すなわち、この区画ボックス３０は、当該給排気型レンジフード１００の本体と同じ大きさの化粧筒３３によって外側を囲む、文字通り「ボックス」型のものとしたものであり、その上面には、排気ダクト６１が直接接続されることになる排気口３１ａと、後述する給気用アダプタ４０が接続されることになる給気口３２ａが形成してある。
【００３８】
この区画ボックス３０内は、図３〜図６に示したように、排気通路３１が形成してあり、この排気通路３１の排気口３１ａには、図４に示したように、排気ダクト６１が接続される。この排気口３１ａに接続した排気ダクト６１の周囲には、図２にも示したように、断熱材７０が巻回されることになる。また、この区画ボックス３０の給気口３２ａは、図２及び図３に示したような四角形状を有したものであり、この給気口３２ａには、図３に示したように、給気用アダプタ４０またはこれに接続される給気用アダプタ４０の下端が連結されるのである。
【００３９】
また、この区画ボックス３０内には、図３〜図６に示したように、排気通路３１及び給気通路３２と、上述した化粧筒３３との間に給気分散通路３４が形成してある。この給気分散通路３４に対しては、図５に示したように、ファンボックス２０側の給気口２３ａが開口させてあり、給気ファン２３によって吸引されてきた外気を、当該給気分散通路３４内に供給できるようにしてある。この給気分散通路３４内に供給されてきた外気は、給気分散通路３４の周囲を囲んでいる化粧筒３３に形成した各給気孔３３ａから部屋内に排出されるのである。
【００４０】
なお、この区画ボックス３０の排気通路３１内には、図４及び図７に示したように、第１ダンパ３５が配置してあり、この第１ダンパ３５は区画ボックス３０に設けた制御器３５ａによって開閉されるものである。つまり、この第１ダンパ３５は、風の強いとき等に、排気ダクト６１を通して外気が部屋側に供給されてくるのを防止して、折角フード本体１０にて捕集した排気ガスが部屋内に逆流しないようにするものである。
【００４１】
以上のような区画ボックス３０の上方に接続される給気用アダプタ４０は、図３及び図８に示すようなものであり、区画ボックス３０側の四角形状となっている給気口３２ａに接続される第一通路４１と、屋外に通じている給気ダクト６２の内端が接続される第二通路４２とを有している。本最良形態では、この給気用アダプタ４０の第一通路４１を区画ボックス３０側に届くようにするため、接続アダプタ４３を採用している。なお、この給気用アダプタ４０についても、外気の風による強制的な流入を防止するための第２ダンパ４４を、図８に示したように、第二通路４２側に設けるようにしている。この第２ダンパ４４は、図３に示したように、区画ボックス３０の給気通路３２内に設けるように実施してもよく、この第２ダンパ４４は制御器４４ａによって開閉が制御される。
【００４２】
また、この給排気型レンジフード１００においては、図３または図５に示したように、給気ファン２３の上流側であって給気ダクト６２に至るまでの通気路内にヒータ５０が内蔵してある。このヒータ５０は、例えば厳寒時において、給気ファン２３によって給気されてきた外気を所定温度に加熱するものであり、当該給排気型レンジフード１００内に冷却されて結露を発生する部分がないようにするものである。
【００４３】
本発明に給排気型レンジフード１００は、ヒータ５０を内蔵すべき部分がたくさん存在する。つまり、このヒータ５０の設置場所は、給気ファン２３の上流側であって給気ダクト６２に至るまでの通気路内という条件を満たせば、図３または図５に示すように、給気アダプタ４０内であってもよいし、区画ボックス３０内の給気通路３２内であってもよく、勿論接続アダプタ４３内や第２通路４２内であってもよいものである。
【００４４】
勿論、このヒータ５０は、電気加熱式のものが最も簡便であり、そのスイッチは、使用者の判断によって操作できるようにフード本体１０に設けたり、あるいは、外気温度センサや、給気アダプタ４０内を通る空気温度センサからの信号によって作動するものとしてもよい。
【図面の簡単な説明】
【００４５】
【図１】本発明に係る給排気型レンジフードを設置した台所の様子を示す斜視図である。
【図２】同給排気型レンジフードの区画ボックスの上側で切ってみた平面図である。
【図３】図２中のＡ−Ａ線に沿ってみた給排気型レンジフードの縦断面図である。
【図４】図２中のＢ−Ｂ線に沿ってみた給排気型レンジフードの縦断面図である。
【図５】図２中のＤ−Ｄに沿ってみた給排気型レンジフードの縦断面図である。
【図６】図２中のＣ−Ｃ線に沿ってみた給排気型レンジフードの縦断面図である。
【図７】区画ボックスの斜視図である。
【図８】従来技術の一例を示す縦断面図である。
【図９】従来技術の他の例を示す縦断面図である。
【図１０】従来技術の別例を示す縦断面図である。
【図１１】従来技術のさらに別例を示す断面図（ａ）と平面図（ｂ）である。
【符号の説明】
【００４６】
１００    給排気型レンジフード
１０    フード本体
２０    ファンボックス
２１    駆動モータ
２２    排気ファン
２２ａ  排気口
２３    給気ファン
２３ａ  給気口
２４    隔壁
３０    区画ボックス
３１    排気通路
３１ａ  排気口
３２    給気通路
３２ａ  給気口
３３    化粧筒
３３ａ  給気孔
３４    給気分散通路
３５    第１ダンパ
３５ａ  制御器
４０    給気用アダプタ
４１    第一通路
４２    第二通路
４３    接続アダプタ
４４    第２ダンパ
４４ａ  制御器
５０    ヒータ
６１    排気ダクト
６２    給気ダクト
７０    断熱材
２００    調理機器
３００    壁
３１０    天井
３１１    天井裏空間
【図１】
2006010211.tif 000003
【図２】
2006010211.tif 000004
【図３】
2006010211.tif 000005
【図４】
2006010211.tif 000006
【図５】
2006010211.tif 000007
【図６】
2006010211.tif 000008
【図７】
2006010211.tif 000009
【図８】
2006010211.tif 000010
【図９】
2006010211.tif 000011
【図１０】
2006010211.tif 000012
【図１１】
2006010211.tif 000013